(57)【特許請求の範囲】
【請求項１】
フード本体は、ケース本体における上方、両側方、背面及び前面に夫々対向させて配置させうるように一連に連結してある天板と、両側板と、背板と、開閉板とで構成し、フード本体をケース本体に対して装着した状態では、ケース本体における上方、両側方、背面及び前面と、夫々それらの表面に対向させて配置される上記天板と、両側板と、背板と、開閉板との間に夫々空気を流通させる為の間隙が形成され、その間隙が排風路及び側方冷風路として利用できるような大きさにしてあり、上記ケース本体の下方から導入する空気を上記側方冷風路を通過させて上記天板下部の排風路に向わせ、天板の端部に配置する排気口から排出できるようにしてあり、さらにフード本体における天板と、ケース本体におけるメッセンジャーワイヤ固定用金具との間に介設してフード本体をケース本体におけるメッセンジャーワイヤ固定用金具に対して一定の位置関係で装着する為の装着金具をも備えることを特徴とする伝送機器用ケースの冷風用フード。
【発明の詳細な説明】
【０００１】
【発明の属する技術分野】
本発明は、高周波の伝送ラインの中継器等に用いられる伝送機器用ケース（以下単にケースとも言う）に関し、詳しくはＣＡＴＶ等の有線放送用信号に係わる高周波の伝送ラインを屋外に設置する為に、長年、屋外において強い日光に曝されるタイプの伝送機器用ケースに関する。
【０００２】
【従来の技術】
図１乃至図４は本願発明の実施例を示すものであるが、これらの図において符号１〜１０を付したケース本体１の構成は、従来からトランクアンプケースとしてＣＡＴＶ等の有線放送用信号に係わる高周波の伝送ラインを屋外において構築する場合に広く用いられており、周知の構成である。よって図１乃至図４を用いて以下従来例を説明する。
【０００３】
ケース本体１において、２は収容室、３は蓋を示す。このケース本体は周知の如くアルミ合金材料を用いて例えばダイカスト製法を用いて軽量かつ頑丈に製作されている。内部には任意の電子回路ユニットが格納されている。このためケース本体には電磁波漏洩防止の為の電磁シールドが施され、又本体と蓋との間には防水シールが施されている。又ケース本体内部の電子装置からは熱が発生するので外部には放熱フィンを設けることもある。
【０００４】
【発明が解決しようとする課題】
この従来のケース本体１にあっては、夏季においてケース本体が直射日光に曝されるとケース本体１の温度が上昇し、室内温度が昇温する。電子部材、或は電子素子によっては高温度のもとでは正常な動作が出来なかったり、寿命を縮めるものなどがある。
斯かる問題点を解決する為に、上記のケース本体１の周囲を遮光材料で囲い、或は遮光材料で形成されたボックス内に上記のケース本体を収納する等の解決手段を試みてみたが、ケース本体１の温度上昇を安価な手段でもって効率よく防止することの出来ない問題点があった。
【０００５】
本件出願の伝送機器用ケースは、上記従来技術の問題点を解決する為に提供するものである。
本件出願の目的は、従来より現場に用いられているケース本体に対して組付することが容易な構成のフードが装着されている伝送機器用ケースを提供しようとするものである。
他の目的は、伝送機器用ケースが屋外において高熱の日光に曝された場合においても、ケース本体の昇温の度合が小さくなるようにした伝送機器用ケースを提供しようとするものである。
他の目的は、ケース本体の外周に付したフードが高温になった場合においても、ケース本体の周囲には冷風が流通しケース本体に対する昇温の度合が小さくなるようにした伝送機器用ケースを提供しようとするものである。
他の目的及び利点は図面及びそれに関連した以下の説明により容易に明らかになるであろう。
【０００６】
【課題を解決するための手段】
本願発明における伝送機器用ケースの冷風用フードは、フード本体は、ケース本体における上方、両側方、背面及び前面に夫々対向させて配置させうるように一連に連結してある天板と、両側板と、背板と、開閉板とで構成し、フード本体をケース本体に対して装着した状態では、ケース本体における上方、両側方、背面及び前面と、夫々それらの表面に対向させて配置される上記天板と、両側板と、背板と、開閉板との間に夫々空気を流通させる為の間隙が形成され、その間隙が排風路及び側方冷風路として利用できるような大きさにしてあり、上記ケース本体の下方から導入する空気を上記側方冷風路を通過させて上記天板下部の排風路に向わせ、天板の端部に配置する排気口から排出できるようにしてあり、さらにフード本体における天板と、ケース本体におけるメッセンジャーワイヤ固定用金具との間に介設してフード本体をケース本体におけるメッセンジャーワイヤ固定用金具に対して一定の位置関係で装着する為の装着金具をも備えたものである。
【０００７】
【発明の実施の形態】
以下本願発明の実施の形態を示す図面について説明する。図１乃至図４において、１はケース本体を示し、２は収容室、３は蓋を示す。このケース本体１は前記した従来のケース本体と同様の製法で作られるものであり、また同様の用途をもつもので有る。さらに同様に屋外で利用されるものである。４は蝶番を示し、蓋３は蝶番４を支点として上方が回動して開口するようになっている。２ａ，２ｂは収納室から夫々突出させた突片を示し、また３ａ、３ｂ、３ｃは夫々蓋体から突出させた突片を示し、図から明らかなように夫々周知の蓋の開閉用の部材を示すものである。５、６は閉蓋時に合せ目からの水の進入を防止する為に締付けるボルトを示す。７はケース本体の上面に通常備えられるメッセンジャーワイヤ固定用金具を示し、８はそれに用いられるボルトを示す。９は背面を示し、これには通常複数個の雌ねじ穴（非貫通）が備えられており、ケース本体を支柱に取付ける場合に用いられる。１０は周知の任意複数個のケーブルコネクタを示し、信号入力用或は出力用のケーブルの端子をケース本体内の電子回路に接続する為のものである。
【０００８】
１２は冷風用フードを示し。ケース本体１の周囲に冷風通路を形成する為のフード本体２５と、これをケース本体に対して一定の位置関係で装着する為に利用できるようにした台枠１３とを備える。
台枠１３において、１４と、１５とはフード本体２５をケース本体におけるメッセンジャーワイヤ固定用金具７に対して一定の位置関係で装着する為の装着金具を示し、１４、１４は夫々下端を前記の固定用金具７を利用してケース本体の上面に対して着脱自在に固定した鉄板形成の立枠、これの上端は一体材料、又は別材の鉄板製の受枠１５により溶接手段などを用いて一体的に鳥居の形状に連結されている。１６は、鉄板材料で形成された背面板で上端は一体材料、又は別材の鉄板形成による受枠１５に溶接手段などを用いて熱伝導良好な状態で一連に連結されている。なお台枠１３を形成する材料は鉄板が好ましい。この鉄板の強度は、冷風用フード１２において、フード本体２５及び台枠１３にあっては、これらの上に作業員が載った場合その体重を支えるに充分な強度を有するものであって欲しい。例えば２．３mm以上の鉄板が備える強度が有れば望ましい。強度が充分に得られる場合は他の材料例えば合成樹脂などの材料であっても良い。
【０００９】
１７と２１とは、ケース本体１を支柱２０に対して取付ける為の受金具と当付金具を示し、通常周知の如く支柱２０を中間において締付けボルト２２を用い、図示の如く着脱自在に装着する。受金具１７は、支柱２０とケース本体１とを離間させ、その間に冷風路３８を形成する為に持出状にした張出部材１８と、柱に当て付ける為の受止部材１９とを鉄板材料でもって図示の如く一体に形成してある。張出部材１８の元部はケース本体１の背面に設けられている複数個の雌ねじ穴に対してボルト１８ａを螺合させる手段を利用することにより、着脱自在に固着させることが出来る。なお張出部材１８の元部をケース本体１の背面に設けられている複数個の雌ねじ穴に対してボルトを螺合させる手段で固着する場合、上記の背面板１６の下端も一緒に、例えば二枚の板を重合させる状態にしてボルト１８ａで押え固着する。このようにして上記の背面板１６の下端をケース本体１の背面に固着した場合は、上記立枠１４の下端をメッセンジャーワイヤ固定用金具７に固着しても、或は格別固着しなくても、フード本体２５と、ケース本体との位置関係が定まればそれで良い。
【００１０】
フード本体２５において、２６、２７、２７、２８、２９は、一つの鉄板材料を用いて折曲げ形成した天板と、両側の側板と、背板と、前板を示す。これらの材料は個別の板材料を夫々用いて相互に一連に溶接手段などを用いて一体にしても良いし、プラスチックなどの材料を用いて形成しても良い。
天板２６は、前側か或は後部側の一方が高く、他方が低くなり、雨水を流下させ易いように、かつ、内側を流通させる高温化した空気を流せるように傾斜させてある。天板２６の高い側の端部は開口されており、そこは排気口３９ａとなる。この排気口３９ａは天板２６の高い側の端部付近例えば背面板１６の直上の外側位置に孔を設けて形成しても良い。上記天板２６は傾斜状態で、同様の対応傾斜状態に構成してある上記の受枠１５の上面に対して、図２に示される上方の位置からケース本体１に被せ付ける状態で下降させ、図３に示される状態になるようにボルト４０を用いて着脱自在に装着する。この被せ付ける作業途中においてはケーブルコネクタ１０に対して図示外のケーブルが接続されていても、或はされていなくても、フード本体２５における両側の側板２７、２７には夫々ケーブルコネクタ挿入用の切目３８ａが形成してあるので、図１に示されているように綺麗に収る。
【００１１】
さらに背板２８のほぼ中央部には欠如部２８ａが形成してあるので、図２から図３の状態にする場合においてケース本体が柱に対してすでに装着してあっても何らの支障なく装着作業を進めることが出来る。なお欠如部２８ａの横幅は広すぎると太陽光がケース本体に入り、狭すぎるとボルト２２に当るので、そこらを考慮して決定する。背面板１６の横幅は、欠如部２８ａの横幅よりも広くして、ケース本体１に向う太陽光を遮れるようにしてある。
更に側板２７と背板２８との間には夫々空気導入用の切れ目３８ａが形成してあり、側板２７と開閉板３０との間にも夫々空気導入用の切れ目３８ａが形成してあり、更に開閉板３０の上端には雨の吹込みを防止する為の傾斜板３０ａを形成すると共にその上方には冷風取込みようの隙間３８ｂが形成してある。上記傾斜板３０ａが、天板２６の下側の方向に大きく延びる場合には前板２９は不用になる。
【００１２】
３０は開閉板を示し、枢着点３５に設けたボルトを中心にして下端が上方へ向けての開閉動を自在にしてある。開閉板３０の大きさは蓋３を解放して内部の電子回路を操作するとき、蓋３の解放操作に支障をもたらさないように大きく形成してある。３１と、３２と、３３と、３４は、順に開閉板３０を装着する為の部材と、開閉板３０を固着する為の止付片と、止付片３２に螺合させた止付けボルトと、止付けボルト３３の挿入を可能にする切れ目を示す。上記のように天板２６、側板２７、背板２８、前板２９、開閉板３０を配置することにより、下側からの冷風を導き入れる為の開口部３７ａ及び下側冷風路３７が形成され、側方からの冷風を導き入れる為の開口部３８ａ及び側方冷風路（間隙）３８と、上方からの温風を排出する為の開口部３９ａ及び上側排風路（間隙）３９とが形成される。側方冷風路（間隙）３８及び上側排風路（間隙）３９の間隙の寸法は空気の流れが形成できれば狭くても良いが、輻射伝熱に配慮を加えると３０mm以上有るのが好ましい。
【００１３】
上記構成のものにあっては、工場においてはケース本体１に対して、予め台枠１３と、受金具１７とを夫々メッセンジャーワイヤ固定用金具７と、背面９に備えさせてある雌ねじ穴を利用して装着しておく。次に現場においては、図２に示される如くケース本体１を支柱２０に対して、受金具１７と、当付金具２１を利用して取付ける。次に、図２に示される如くケース本体１に対して上方からフード本体２５を図３に示される位置まで被せ付け、受枠１５の上に天板２６をボルト４０を用いて固定する。
【００１４】
このように構成された伝送機器用ケースにあっては炎天下において、フード本体２５における天板２６、側板２７、２７、背板２８、前板２９、開閉板３０が夫々昼間における直上方向からの太陽光を遮断し、ケース本体１に対して太陽光が直接当るのを遮るから、ケース本体１の昇温を防止することが出来る。
しかも炎天下においてフード本体２５における内側の温度が上昇した場合には、ケース本体１における前側、横側、背面側に夫々冷風路３８が形成されており、上方には上記冷風路３８に夫々連通する排風路３９があるから、下方の開口部３７ａ及び側方の切れ目３８ａから夫々流入する冷たい風は、上記冷風路３８及び排風路３９を通過して排気口３９ａから煙突のような対流作用により、高温の空気が排出されるようになっている。これによりケース本体１の側面及び上面は冷却され、ケース本体１の内部における電子回路は高熱から護られる。
【００１５】
【発明の効果】
以上のように本願発明は、ケース本体１における上方、両側方、背面及び前面に夫々対向させて天板２６と、両側板２７と、背板２８と、開閉板３０とを配置した構成であるから、昼間の炎天下においてケース本体１に向う上部からの日光を遮ることの出来る効果がある。
【００１６】
しかも本願発明にあっては、上記のケース本体１に対するフード本体２５の配置の状態は、ケース本体１における上方、両側方、背面及び前面と夫々それらの表面に対向させて配置される上記天板２６と、両側板２７と、背板２８と、開閉板３０との間に下方から上方の外部に向けて空気を対流させる為の間隙３８、３９を形成して、それらの間隙３８、３９を側方冷風路及び排風路として利用し、上記ケース本体１の下方から導入する空気を上記側方冷風路３８を通過させて上記天板の端部に設ける排気口から排出できるようにしてあるから、上記フード本体２５を構成する各板体が加熱されて高温化しても、それらの内側には冷風が対流するので、これによりケース本体の輻射熱による温度上昇を防止するに役立つ顕著な効果がある。
【図面の簡単な説明】
【図１】伝送機器用ケースを柱に装着した状態を示す一部破断斜視図。
【図２】ケース本体に対してフード本体を分離させた状態を示す側面図。
【図３】ケース本体に対してフード本体を装着した状態を示す全半部分破断正面図。
【図４】ケース本体に対してフード本体を装着した状態を示す一部破断側面図。
【符号の説明】
１・・・ケース本体、２・・・本体、３・・・蓋、７・・・メッセンジャーワイヤ固定用金具、９・・・背面、１２・・・冷風用フード、１３・・・台枠、１４・・・立枠、１５・・・受枠、１６・・・背面板、１７・・・受金具、１８・・・張出部材、２５・・・フード本体、２６・・・天板、２７・・・側板、２８・・・背板、２９・・・前板、３０・・・開閉板、３７・・・下側冷風路、３８・・・側方冷風路、３９・・・排風路、３９ａ・・排気口。
【図１】
0004503882.tif 000002
【図２】
0004503882.tif 000003
【図３】
0004503882.tif 000004
【図４】
0004503882.tif 000005